(57)【要約】      （修正有）【課題】ゴルフ用品（ティー、マーカー、グリーンフォーク）を一個のポーチにコンパクトに収納しプレーをし易くする為のゴルフアイテム収納ポーチを提供する。【解決手段】ポーチ上部にフック２を付け、腰のベルト通しなどへ引っ掛ける形状であり、ポーチの開閉はマグネット式ボタン３を使用する。裏面内側下部にはベルトがついており、プラスチックティーが２本収納できる。【選択図】図５
0003188092.tif 000002
【実用新案登録請求の範囲】
【請求項１】
ゴルフ用品（ティー、マーカー、グリーンフォーク）を纏めて収納部に収納でき、前記収納部が衣類に設けられた取り付け部に取り付ける為の取り付け手段を備えた事を特徴とするゴルフアイテム収納ポーチ。
【請求項２】
前記ゴルフアイテム収納ポーチ上部に設けられた取り付け手段部が、腰のベルト通しなどに装着でき、取り付け手段は回転式であり、右利き左利きの両者に対応しているという特徴を備えたゴルフアイテム収納ポーチ。
【請求項３】
前記ゴルフアイテム収納ポーチ上部の開閉はマグネット式ボタンを使用するが、ジッパー、ボタン、ギボシ、マッジックテープなども袋状のポーチを開閉する為に使用できるゴルフアイテム収納ポーチ。
【請求項４】
前記ゴルフアイテム収納ポーチの一方の側にはマーカー用ポケットがあり最近では大きめのサイズのマーカーも出てきている為、大小様々なのサイズのマーカーに対応したゴルフアイテム収納ポーチ。
【請求項５】
前記ゴルフアイテム収納ポーチの一方の側にはグリーンフォーク用ポケットがあるゴルフアイテム収納ポーチ。
【請求項６】
前記ゴルフアイテム収納ポーチにはベルトがついており、プラスチックティーが２本収納できる。プラスチックティーは様々な形状の物があるがほとんどの形状の物を収納できる。ゴルフアイテム収納ポーチ。
【請求項７】
前記ゴルフアイテム収納ポーチにはベルトがついており木製ティーが４本収納できる。木製のティーは折れやすいため最大４本収納する事でティーを用意する手間が省けるゴルフアイテム収納ポーチ。
【考案の詳細な説明】
【技術分野】
【０００１】
本考案はゴルフ用品（ティー、マーカー、グリーンフォーク）を一個のポーチにコンパクトに収納しプレーをしやすくする為の物である。  
【背景技術】
【０００２】
ゴルフプレー中、ティー、マーカー、グリーンフォークなどのゴルフ用品はポケットや帽子などに別々に持たれ、不便さがありプレーの妨げになる事があった為、本考案を進めた。
【先行技術文献】
【特許文献】
【０００３】
【特許文献１】実用新案登録  第３０６１１３２号
【考案の概要】
【考案が解決しようとする課題】
【０００４】
ゴルフ用品（ティー、マーカー、グリーンフォーク）などは、別々に持たれプレー中に落として無くす事が多い。ティー（地面にさしボールを乗せる物）は、土がつき安く、ズボンのポケットに入れる時、汚れてしまう。また、別々に持つ事で初心者だけではなく不慣れなゴルファーにとっては、それによってプレーに集中できないこともある。
【課題を解決するための手段】
【０００５】
本考案は、この一つのポーチにゴルフ用品（ティー、マーカー、グリーンフォーク）を纏めてコンパクトに収納する為の物である。ポーチ上部にフックを付け、腰のベルト通しなどへ引っ掛ける形状であり、腰位置にあることで常に視野にあり、出し入れがしやすくポーチのサイズをできるだけコンパクトにすることでスイングの妨げにならない。
【０００６】
ポーチの開閉はマグネット式ボタンを使用する。全１８ホールを回ると最低でもティーグラウンドとグリーン上で１ホール２〜３回、１８ホールで３０〜５０回の開閉をする。そのためマグネット式にする事でファスナーやボタン、ギボシなど他のどんな付属よりもスムーズに開閉でき、よりプレーに集中できる。
【０００７】
裏面内側下部にはベルトがついており、プラスチックティーが２本収納できる。プラスチックティーは女子ゴルファーにも多く使われ壊れにくいと言う特性から２本収納することでよりコンパクトになりプレーを妨げない。特にプラスチックティーは様々な形状の物があるがほとんどの形状の物を収納できる。
【０００８】
裏面内側上部にはベルトがついており木製ティーが４本収納できる。木製のティーは折れやすいため最大４本収納する事でティーを用意する手間が省ける。
【０００９】
表面内側上部にはマーカー用ポケットがある、ポケットのサイズは縦３センチ、横４．５センチと大きめの物である。通常のマーカーのサイズは直径２７ｍｍであるが、多くのゴルファーから見つけにくいという声を聞き、最近では大きめのサイズのマーカーも出てきている為、双方のサイズのマーカーに対応したサイズである。
【００１０】
表面内側下部には縦３.5センチ、横３センチのグリーンフォーク用ポケットがある。
プレーを妨げないコンパクトなポーチに対して、ここに収納 できるグリーンフォークは、グリーンフォークの機能を損なわない最低限の大きさで薄い物である。
【考案の効果】
【００１１】
上述の様に、この１つのポーチにゴルフ用品を纏めて収納し、ポーチ自体 をコンパクトにする事でプレーを妨げず、プレーに集中する事ができ、無くしがちな小物を落とすことを回避できる。また、衣類の汚れも回避することができる。
【図面の簡単な説明】
【００１２】
【図１】本考案のゴルフアイテム収納ポーチの実施例を表す正面図である。
【図２】本ゴルフアイテム収納ポーチの背面図である。
【図３】本ゴルフアイテム収納ポーチの正面内側図である。
【図４】本ゴルフアイテム収納ポーチの背面内側図である。
【図５】本ゴルフアイテム収納ポーチの斜視右斜め前側図である。
【図６】本ゴルフアイテム収納ポーチの斜視左斜め後側図である。
【考案を実施するための形態】
【００１３】
このポーチはゴルフのラウンド中にゴルフ用品（マーカー、ティー、グリーンフォーク）を簡単に出し入れする事が出来る。
又、ポーチ上部にフックがついているので腰のベルト通しなどに装着して使用。
フックは回転式であり、右利き左利きの両者に対応している。
ポーチの開閉はマグネット式ボタンを使用する。
全１８ホールを回ると最低でもティーグラウンド上で、１ホールで２〜３回、１８ホールで３０〜５０回の開閉をする。そのためマグネット式にする事でファスナーやボタン、ギボシなど他のどんな付属よりもスムーズに開閉でき、よりプレーに集中できる。
プレーを妨げないコンパクトなポーチに対して、ここに収納できるグリーンフォークは、その用途を損なわない最低限の大きさで薄い物である。
【実施例】
【００１４】
以下、添付図面に従って実施例を説明する。
１は ポーチ本体部分で袋状になっている。２はフックで、腰のベルト通しなどに装着できる。
３はマグネット式ボタンであり、正面本体と背面本体を接続する為のベルトに固定されたマグネット式ボタンで開閉される。４はマーカー入れ用ポケット。５はグリーンフォーク入れ用ポケット。６は木製ティー用ベルトで、最大４本まで収納可能。７はプラスチックティー用ベルトで２本収納可能（ロング、ミドル、ショートのさまざまな形に対応している）。
木製ティーとプラスチックティーはティーグラウンドで使用され、マーカーとグリーンフォークはグリーン上で使用される。
【符号の説明】
【００１５】
１:ポーチ本体部分（袋状）
２: フック（取り付け手段）
３: マグネット式ボタン 
４: マーカー入れ用ポケット
５: グリーンフォーク入れ用ポケット
６: 木製ティー用ベルト
７: プラスチックティー用ベルト
【図１】
0003188092.tif 000003
【図２】
0003188092.tif 000004
【図３】
0003188092.tif 000005
【図４】
0003188092.tif 000006
【図５】
0003188092.tif 000007
【図６】
0003188092.tif 000008
【手続補正書】
【提出日】平成25年11月6日(2013.11.6)
【手続補正１】
【補正対象書類名】実用新案登録請求の範囲
【補正対象項目名】全文
【補正方法】変更
【補正の内容】
【実用新案登録請求の範囲】
【請求項１】
ゴルフ用品（テイー、マーカー、グリーンフォーク）を纏めて収納部に収納でき、前記収納部が衣服に設けられた取り付け部に取り付ける為の取り付け手段を備えていることを特徴とするゴルフアイテム収納ポーチ。
【請求項２】
前記取り付け手段が、衣服に設けられた取り付け部に装着でき、かつ回転式であり、右利き左利きの両者に対応していることを特徴とする請求項１記載のゴルフアイテム収納ポーチ。
【請求項３】
前記収納部の開閉はマグネット式ボタン、ジッパー、ボタン、カシメボタン、ギボシ、面ファスナーのいずれかを使用することを特徴とする請求項１記載のゴルフアイテム収納ポーチ。
【請求項４】
前記収納部は偏平な袋状のものであって一方の内側の偏平面には、マーカー用ポケットがあることを特徴とする請求項１記載のゴルフアイテム収納ポーチ。
【請求項５】
前記収納部は偏平な袋状のものであって一方の内側の偏平面には、グリーンフォーク用ポケットがあることを特徴とする請求項１記載のゴルフアイテム収納ポーチ。
【請求項６】
前記収納部は偏平な袋状のものであって一方の内側の偏平面には、ベルトがついており、プラスチックテイーが収納できることを特徴とする請求項１記載のゴルフアイテム収納ポーチ。
【請求項７】
前記収納部は偏平な袋状のものであって一方の内側の偏平面には、ベルトがついており、木製テイーが収納できことを特徴とする請求項１記載のゴルフアイテム収納ポーチ。